(57)【特許請求の範囲】
【請求項１】
テレビ電話機能を有したテレビ電話装置であって、
テレビ電話を行う相手の宛先情報を含む相手情報を記憶する相手情報記憶手段と、
現在時刻又は当該装置が存する場所を含む環境を取得する環境取得手段と、
テレビ電話中の相手の宛先情報を取得する宛先情報取得手段と、
テレビ電話中に取得した相手画像を当該相手に関する相手情報として記録させるための記録条件であって、時間帯又は場所を含む条件を記憶する条件記憶手段と、
テレビ電話時に前記環境取得手段によって得られた環境が前記記録条件に該当しているか否かを判別する判別手段と、
この判別手段によって記録条件に該当していると判別された際に、当該相手とのテレビ電話中に取得した相手画像を、前記宛先情報取得手段で取得した宛先情報に対応付けて前記相手情報記憶手段に記録させる制御手段と、
を具備したことを特徴とするテレビ電話装置。
【請求項２】
前記条件記憶手段に同一相手に対応して複数の記録条件が記憶されている場合に、前記判別手段は、テレビ電話時に前記環境取得手段によって得られた環境が複数の記録条件の何れに該当しているか否かを判別し、
前記制御手段は、テレビ電話時に前記環境取得手段によって得られた環境が何れかの記録条件に該当していると判別された場合に、その環境下で得られた相手画像を当該記録条件に対応する環境別の相手情報として記録させる、
ようにしたことを特徴とする請求項１記載のテレビ電話装置。
【請求項３】
前記記録条件としての環境は、当該テレビ電話装置の内部環境としてのモードを含み、モード別に相手画像を記録させるための条件である、
ことを特徴とする請求項２記載のテレビ電話装置。
【請求項４】
前記相手情報の閲覧表示が指示された場合に、前記判別手段は、この閲覧表示時の現在時刻又は当該装置が存する場所を含む環境が当該相手に対応する記録条件に該当しているか否かを判別し、
前記制御手段は、閲覧表示時の前記環境が何れかの記録条件に該当していると判別された場合に、当該記録条件に対応する環境別の相手情報を選択して表示させる、
ようにしたことを特徴とする請求項２記載のテレビ電話装置。
【請求項５】
前記制御手段は、閲覧表示時の前記環境が何れの記録条件にも該当していないと判別された場合に、予め登録されている相手画像を表示させる、
ようにしたことを特徴とする請求項４記載のテレビ電話装置。
【請求項６】
前記記録条件は、テレビ電話中に取得した相手画像を記録する対象者を特定するための記録対象者を含み、
前記判別手段は、テレビ電話時に前記環境取得手段によって得られた環境が記録条件としての環境に該当しているか否かを判別するほか、テレビ電話の相手が記録条件としての記録対象者に該当しているか否かを判別し、
前記制御手段は、テレビ電話時に前記環境取得手段によって得られた環境が記録条件としての環境に該当し、かつ、テレビ電話の相手が記録条件としての記録対象者に該当していると判別された場合に、そのテレビ電話中に取得した相手画像を記録させる、
ようにしたことを特徴とする請求項１記載のテレビ電話装置。
【請求項７】
前記記録条件としての記録対象者は、アドレス帳に登録されている相手を特定するための情報である、
ことを特徴とする請求項６記載のテレビ電話装置。
【請求項８】
前記記録条件は、前記相手情報として記録されている相手画像を新たな画像に書き換える更新タイミングに達したことを含み、
前記判別手段は、テレビ電話時に前記環境取得手段によって得られた環境が記録条件としての環境に該当しているか否かを判別するほか、更新タイミングに達したか否かを判別し、
前記制御手段は、テレビ電話時に前記環境取得手段によって得られた環境が記録条件としての環境に該当し、かつ、更新タイミングに達したと判別された場合に、そのテレビ電話中に取得した相手画像を記録させる、
ようにしたことを特徴とする請求項１記載のテレビ電話装置。
【請求項９】
前記相手情報として記録されている相手画像にその記録日時が付加されている状態において、前記判別手段は、相手情報として記録されている相手画像に付加されている記録日時と現在日時とを比較することによって前記更新タイミングに達したか否かを判別する、
ようにしたことを特徴とする請求項８記載のテレビ電話装置。
【請求項１０】
前記記録条件は、テレビ電話中に取得した相手画像を記録する対象者を特定するための記録対象者を含み、
前記判別手段は、テレビ電話時に前記環境取得手段によって得られた環境が記録条件としての環境に該当しているか否かと、更新タイミングに達したか否かを判別するほか、テレビ電話の相手が記録条件としての記録対象者に該当しているか否かを判別し、
前記制御手段は、テレビ電話時に前記環境取得手段によって得られた環境が記録条件としての環境に該当し、かつ、更新タイミングに達し、かつ、テレビ電話の相手が記録条件としての記録対象者に該当していると判別された場合に、そのテレビ電話中に取得した相手画像を記録させる、
ようにしたことを特徴とする請求項８記載のテレビ電話装置。
【請求項１１】
前記記録条件としての記録対象者は、アドレス帳に登録されている相手を特定するための情報である、
ことを特徴とする請求項１０記載のテレビ電話装置。
【請求項１２】
前記制御手段は、記録条件に該当する相手画像が記録されていない場合に、今回のテレビ電話中に取得した相手画像を新規画像として記録させる、
ようにしたことを特徴とする請求項１記載のテレビ電話装置。
【請求項１３】
前記制御手段は、テレビ電話中に取得した相手画像の中から画像状態が所定の状態を満たしている相手画像を抽出して記録させる、
ようにしたことを特徴とする請求項１記載のテレビ電話装置。
【請求項１４】
前記制御手段は、前記抽出した相手画像が複数存在する場合に、その何れを記録するのかをユーザに問い合わせるための確認案内を実行させる、
ようにしたことを特徴とする請求項１３記載のテレビ電話装置。
【請求項１５】
コンピュータに対して、
テレビ電話機能を有したテレビ電話装置であって、
テレビ電話を行う相手の宛先情報を含む相手情報を記憶する機能と、
現在時刻又は当該装置が存する場所を含む環境を取得する機能と、
テレビ電話中の相手の宛先情報を取得する機能と、
テレビ電話中に取得した相手画像を当該相手に関する相手情報として記録させるための記録条件であって、時間帯又は場所を含む条件が記憶されている状態において、テレビ電話時に取得した前記環境が前記記録条件に該当しているか否かを判別する機能と、
前記記録条件に該当していると判別された際に、当該相手とのテレビ電話中に取得した相手画像を、取得したテレビ電話の相手の宛先情報に対応付けて前記相手情報として記録する機能と、
を実現させるためのプログラム。
【発明の詳細な説明】
【技術分野】
【０００１】
この発明は、テレビ電話装置及びプログラムに関する。
【背景技術】
【０００２】
一般に、携帯電話などの通信端末装置においては、アドレス帳に通信相手の画像（相手画像）を登録しておくと、アドレス帳の閲覧時には相手の名前、電話番号と共にその相手画像が表示されるが、何時でも同じ画像を表示することは新鮮みに欠けるようになるため、従来では、テレビ電話時に取得した相手画像と登録されている画像とを解析し、その結果、同一人物であることを認識した際に、この相手画像を最新画像として記録（更新）するようにした技術が知られている（特許文献１参照）。
【特許文献１】特開２００５−３１１８８３号公報
【発明の開示】
【発明が解決しようとする課題】
【０００３】
しかしながら、上述した先行技術にあっては、テレビ電話の度に最新画像に更新するか否かをユーザに確認してから更新するようにした技術であり、テレビ電話の度にユーザにその確認を強要することは、ユーザによる煩雑な判断と操作を要求することになるほか、相手画像は常に一枚の画像に固定されてしまう。
【０００４】
この発明の課題は、テレビ電話中に取得した相手画像を当該相手に関する相手情報として記録する場合に、ユーザに負担をかけずに、この相手画像を適切に記録できるようにすることである。
【課題を解決するための手段】
【０００５】
請求項１記載の発明は、テレビ電話機能を有したテレビ電話装置であって、テレビ電話を行う相手の宛先情報を含む相手情報を記憶する相手情報記憶手段と、現在時刻又は当該装置が存する場所を含む環境を取得する環境取得手段と、テレビ電話中の相手の宛先情報を取得する宛先情報取得手段と、テレビ電話中に取得した相手画像を当該相手に関する相手情報として記録させるための記録条件であって、時間帯又は場所を含む条件を記憶する条件記憶手段と、テレビ電話時に前記環境取得手段によって得られた環境が前記記録条件に該当しているか否かを判別する判別手段と、この判別手段によって記録条件に該当していると判別された際に、当該相手とのテレビ電話中に取得した相手画像を、前記宛先情報取得手段で取得した宛先情報に対応付けて前記相手情報記憶手段に記録させる制御手段とを具備したことを特徴とする。
更に、コンピュータに対して、上述した請求項１記載の発明に示した主要機能を実現させるためのプログラムを提供する（請求項１５記載の発明）。
【０００６】
なお、上述した請求項１記載の発明は次のようなものであってもよい。
前記条件記憶手段に同一相手に対応して複数の記録条件が記憶されている場合に、前記判別手段は、テレビ電話時に前記環境取得手段によって得られた環境が複数の記録条件の何れに該当しているか否かを判別し、前記制御手段は、テレビ電話時に前記環境取得手段によって得られた環境が何れかの記録条件に該当していると判別された場合に、その環境下で得られた相手画像を当該記録条件に対応する環境別の相手情報として記録させる（請求項２記載の発明）。
【０００８】
請求項２記載の発明において、前記記録条件としての環境は、当該テレビ電話装置の内部環境としてのモードを含み、モード別に相手画像を記録させるための条件であってもよい（請求項３記載の発明）。
【０００９】
請求項２記載の発明において、前記相手情報の閲覧表示が指示された場合に、前記判別手段は、この閲覧表示時の現在時刻又は当該装置が存する場所を含む環境が当該相手に対応する記録条件に該当しているか否かを判別し、前記制御手段は、閲覧表示時の前記環境が何れかの記録条件に該当していると判別された場合に、当該記録条件に対応する環境別の相手情報を選択して表示させるようにしてもよい（請求項４記載の発明）。
【００１０】
請求項４記載の発明において、前記制御手段は、閲覧表示時の前記環境が何れの記録条件にも該当していないと判別された場合に、予め登録されている相手画像を表示させるようにしてもよい（請求項５記載の発明）。
【００１１】
前記記録条件は、テレビ電話中に取得した相手画像を記録する対象者を特定するための記録対象者を含み、前記判別手段は、テレビ電話時に前記環境取得手段によって得られた環境が記録条件としての環境に該当しているか否かを判別するほか、テレビ電話の相手が記録条件としての記録対象者に該当しているか否かを判別し、前記制御手段は、テレビ電話時に前記環境取得手段によって得られた環境が記録条件としての環境に該当し、かつ、テレビ電話の相手が記録条件としての記録対象者に該当していると判別された場合に、そのテレビ電話中に取得した相手画像を記録させる（請求項６記載の発明）。
【００１２】
請求項６記載の発明において、前記記録条件としての記録対象者は、アドレス帳に登録されている相手を特定するための情報であってもよい（請求項７記載の発明）。
【００１３】
前記制御手段は、記録条件に該当する相手画像が記録されていない場合に、今回のテレビ電話中に取得した相手画像を新規画像として記録させる（請求項１２記載の発明）。
【００１４】
前記制御手段は、テレビ電話中に取得した相手画像の中から画像状態が所定の状態を満たしている相手画像を抽出して記録させる（請求項１３記載の発明）。
【００１５】
請求項１３記載の発明において、前記制御手段は、前記抽出した相手画像が複数存在する場合に、その何れを記録するのかをユーザに問い合わせるための確認案内を実行させるようにしてもよい（請求項１４記載の発明）。
【００１６】
前記記録条件は、前記相手情報として記録されている相手画像を新たな画像に書き換える更新タイミングに達したことを含み、前記判別手段は、テレビ電話時に前記環境取得手段によって得られた環境が記録条件としての環境に該当しているか否かを判別するほか、更新タイミングに達したか否かを判別し、前記制御手段は、テレビ電話時に前記環境取得手段によって得られた環境が記録条件としての環境に該当し、かつ、更新タイミングに達したと判別された場合に、そのテレビ電話中に取得した相手画像を記録させる（請求項８記載の発明）。
【００１７】
請求項８記載の発明において、前記相手情報として記録されている相手画像にその記録日時が付加されている状態において、前記判別手段は、相手情報として記録されている相手画像に付加されている記録日時と現在日時とを比較することによって前記更新タイミングに達したか否かを判別する（請求項９に記載の発明）
【００１８】
前記記録条件は、テレビ電話中に取得した相手画像を記録する対象者を特定するための記録対象者を含み、前記判別手段は、テレビ電話時に前記環境取得手段によって得られた環境が記録条件としての環境に該当しているか否かと、更新タイミングに達したか否かを判別するほか、テレビ電話の相手が記録条件としての記録対象者に該当しているか否かを判別し、前記制御手段は、テレビ電話時に前記環境取得手段によって得られた環境が記録条件としての環境に該当し、かつ、更新タイミングに達し、かつ、テレビ電話の相手が記録条件としての記録対象者に該当していると判別された場合に、そのテレビ電話中に取得した相手画像を記録させる（請求項１０記載の発明）。
この請求項１０記載の発明において、前記記録条件としての記録対象者は、アドレス帳に登録されている相手を特定するための情報であってもよい（請求項１１記載の発明）。
【発明の効果】
【００１９】
本発明によれば、テレビ電話中に取得した相手画像を当該相手に関する相手情報として記録させる場合、ユーザに負担をかけずに、テレビ電話時の環境に適した画像を記録することができる。
【発明を実施するための最良の形態】
【００２１】
（実施例１）
以下、図１〜図１１を参照して本発明の第１実施例を説明する。
この実施例は、テレビ電話装置としてテレビ電話機能を有した携帯電話装置に適用した場合を例示したもので、図１は、この携帯電話装置が利用可能な通信ネットワークシステムを示したブロック図である。
携帯電話装置１は、最寄りの基地局２Ａ、交換機２Ｂから公衆移動体通信網２を介して相手側の携帯電話装置１に接続されるほか、更に、インターネット３を介して相手側のＩＰ（Internet Protocol）電話機能付きＰＣ（パーソナルコンピュータ）４あるいは固定電話５に接続可能となっている。この携帯電話装置１には、音声データを送受信して通話する音声電話機能のほか、音声以外にリアルタイム画像（相手画像、自分画像）を送受信して通話するＴＶ（テレビ）電話機能を備え、相手側との間でＴＶ電話による通話が可能となっている。更に、携帯電話装置１には電子メール機能、インターネット接続機能などが備えられている。
【００２２】
図２は、テレビ電話機能付きの携帯電話装置１の基本的な構成要素を示したブロック図である。
ＣＰＵ１１は、記憶部１２内の各種のプログラムに応じてこの携帯電話装置１の全体動作を制御する中核的な中央演算処理装置である。記憶部１２は、内部メモリであり、プログラム領域とデータ領域とを有し、このプログラム領域には、後述する図８〜図１０に示す動作手順に応じて本実施例を実現するためのプログラムが格納されており、また、そのデータ領域には後述するアドレス帳ＡＤ、条件別相手画像テーブルＰＴ、記録条件ＡテーブルＡＴ、記録条件ＢテーブルＢＴなどが格納されている。記録メディア１３は、着脱自在な可搬型メモリで、各種のデータ・プログラムを外部供給するもので、例えば、スマートメディア、ＩＣカードなどによって構成されている。メモリ１４は、ワーク領域を有する内部メモリであり、必要に応じてメモリ１４内の各種のデータは、記憶部１２にセーブされる。
【００２３】
電話通信部１５は、無線部、ベースバンド部、多重分離部などを備え、例えば、音声電話機能、ＴＶ電話機能、電子メール機能、インターネット接続機能、データ通信機能の動作時に最寄りの基地局２Ａとの間でデータの送受信を行うもので、通話機能の動作時にはベースバンド部の受信側から信号を取り込んで受信ベースバンド信号に復調したのち、音声信号処理部１６を介して通話用スピーカＳＰから音声出力させ、また、通話用マイクＭＣからの入力音声データを音声信号処理部１６から取り込み、送信ベースバンド信号に符号化したのち、ベースバンド部の送信側に与えてアンテナから発信出力させる。
【００２４】
インカメラ１７は、自己の顔などを撮影するＴＶ電話用のカメラ撮像部であり、また、アウトカメラ１８は、外界を撮影する通常のカメラ撮像部である。例えば、図３に示すように、携帯電話装置１を構成する２つの筐体（操作部筐体１Ａ、表示部筐体１Ｂ）が開閉可能（折り畳み可能）に取り付けられている場合に、この２つの筐体１Ａ、１Ｂを開いた状態において、インカメラ１７は、そのレンズ系がユーザ（撮影者）に対面するように表示部筐体１Ｂの内側（表示画面側）に配置されたカメラであり、アウトカメラ１８は、そのレンズ系がユーザの反対側に向くように表示部筐体１Ｂの外側（インカメラ１７の反対側）に配置されたカメラである。そして、インカメラ１７、アウトカメラ１８は、撮影レンズ、ミラー等のレンズ・ミラーブロック、撮像素子、その駆動系のほか、測距センサ、光量センサ、アナログ処理回路、信号処理回路、圧縮伸張回路などを備え、光学ズームを調整制御したり、オートフォーカス時の駆動制御、シャッター駆動制御、露出、ホワイトバランスなどを制御したりする。
【００２５】
操作部１９は、ダイヤル入力、文字入力、コマンド入力などを行うもので、ＣＰＵ１１は、操作部１９からのキー入力信号に応じた処理を実行する。報知部２０は、着信報知などの報知用のスピーカ、ＬＥＤ（発光ダイオード）、振動モータなどを備え、電話、メール着信時に駆動されて着信報知を行うほか、アラーム報知時にも駆動される。表示部２１は、高精細液晶あるいは有機ＥＬなどを使用したもので、図３に示すようにＴＶ電話画面が表示されている状態においては、ＴＶ電話機能の動作時に電話通信部１５から取得した相手画像とインカメラ１７によって撮影された自分画像とが並列表示される。ＲＴＣ（リアルタイムクロックモジュール）２２は、時計部を構成するもので、ＣＰＵ１１は、ＲＴＣ２２から現在日時を取得する。
【００２６】
ＧＰＳ（Global Positioning System）信号通信部２３は、ＧＰＳ衛星からＧＰＳ情報を受信取得するもので、ＣＰＵ１１は、ＧＰＳ信号通信部２３から受信した信号に基づいて自己の位置情報を算出取得する。非接触ＩＣカード処理部２４は、電子マネー支払い機能として利用されるほかに、特定施設（交通機関、会社）の入場／退場を検出する電子乗車券機能として、会社の出退社機能として利用可能なもので、ＣＰＵ、メモリ部、コイルアンテナ部を有し、会社内に設置されているＩＣカードリーダ／ライタ付きのゲート装置（会社ゲート）ＧＴに設けられているＩＣリーダライタとの間で微弱電波による近距離通信が行われる。なお、非接触ＩＣカード処理部２４は、受信電波によって電磁誘導されたコイルアンテナ部での起電力を動作電力として動作するようになっている。ＣＰＵ１１は、非接触ＩＣカード処理部２４と会社ゲートＧＴとの間で通信が行われると、出社か退社かを判別して “ビジネスモード”と“プライベートモード”との切り替えを行う。この場合、出社であれば“ビジネスモード”に設定し、退社であれば“プライベートモード”に設定するようにしている。
【００２７】
図４は、アドレス帳ＡＤを説明するための図である。
アドレス帳ＡＤは、通信相手別にそのアドレス帳データを記憶管理するもので、各レコードは、「相手名前」、「電話番号」、「メールアドレス」のほか、「代表画像」などの項目を有する構成となっている。このアドレス帳ＡＤの内容はユーザ操作によって任意に設定されたもので、「代表画像」は過去のＴＶ電話時に取得しておいた各種の相手画像の中からユーザが任意に選んだ代表的な相手画像であり、この「代表画像」の項目にはその画像ファイルをアクセスするためのファイルＮｏが記憶されている。
【００２８】
図５は、条件別相手画像テーブルＰＴを説明するための図である。
条件別相手画像テーブルＰＴは、ＴＶ電話機能の動作時（ＴＶ電話中）に電話通信部１５から取得した相手画像を当該相手に関する相手情報として記録するための記録条件と、この記録条件別の相手画像とを対応付けて記憶するもので、「相手名前」、「モード」、「時間帯」、「画像」、「記録日時」の各項目を有している。「相手名前」、「モード」、「時間帯」は、相手画像をどのような条件で記録するかを示すための記録条件であり、ユーザ操作によって任意に設定されたものである。「相手名前」は相手画像を記録する対象者を特定するための記録対象者を示し、アドレス帳ＡＤの中から任意に指定した相手である。
【００２９】
「モード」、「時間帯」は、ＴＶ電話中の環境（外部環境、内部環境）を記録条件とするもので、「モード」はＴＶ電話中に設定されているモード（内部環境）がどのようなモードであれば、そのＴＶ電話中に取得した相手画像を記録するかを示している。この場合、通信相手毎に複数のモードを設定可能なもので、図示の例では、出社して退社するまでの“ビジネスモード”と、退社してからの“プライベートモード”を設定した場合を示している。「時間帯」はＴＶ電話をしている時間帯がどのような時間帯であれば、そのＴＶ電話中に取得した相手画像を記録するかを示している。そして、“ビジネスモード”、“プライベートモード”に対応して複数の時間帯を設定可能なもので、図示の例では“９：００〜１７：００”と“１７：００〜２１：００”を設定した場合を示している。
【００３０】
「画像」はＴＶ電話中に電話通信部１５から取得した相手画像をアクセスするためのファイルＮｏを記憶するもので、同一相手に対して複数の画像が「モード」、「時間帯」別に記憶可能となっている。例えば、ビジネスモードでは正装した相手画像を記録し、プライベートモードでは私服の相手画像を記録し、夜の時間帯では夜間に撮影された画像を記録するなど環境に適した画像を環境別に記憶可能となっている。「記録日時」は「モード」、「時間帯」別、つまり、環境別の「画像」に対応してその相手画像を記録したときの現在日時を示している。
【００３１】
ＣＰＵ１１は、ＴＶ電話中にその通信相手を特定すると共に現在の環境（モード、現在日時）を特定し、この特定相手に対応する何れかの記録条件に現在の環境が該当しているか否かを判別し、現在の環境が何れかの記録条件に該当していれば、今回のＴＶ電話中に取得した相手画像をその相手情報として記録するようにしている。この場合、画像はファイル化して記録するが、条件別相手画像テーブルＰＴの「画像」にはそのファイルＮｏが記憶される。なお、現在の環境に該当する画像が記録されていなければ、その環境下での相手画像を新規画像として記録するようにしているが、その際、既存画像が記録されていれば、この既存画像に代えて今回の相手画像を記録（更新）するようにしている。
【００３２】
図６は、記録条件ＡテーブルＡＴを説明するための図である。
記録条件ＡテーブルＡＴは、条件別相手画像テーブルＰＴに設定される環境としての記録条件「モード」、「時間帯」が設定されたもので、ユーザ操作によって任意に設定可能となっている。「モード」において会社ＩＣカードの“ＯＮ”は、非接触ＩＣカード処理部２４と会社ゲートＧＴとの間での通信によって出社が検出された場合に“ビジネスモード”に設定され、会社ＩＣカードの“ＯＦＦ”は、退社が検出された場合に“プライベートモード”に設定されることを示している。また、「時間帯」は“９：００〜１７：００”と“１７：００〜２１：００”に分かれ、月曜日から金曜日の時間帯であることを示している。なお、「時間帯」としては上述のような時間単位で設定する場合に限らず、週単位、月単位などで設定するようにしてもよい。また、記録条件としての「モード」と「時間帯」とは論理積（ＡＮＤ）の関係にあり、特定の「モード」下での特定の「時間帯」を記録条件としている。
【００３３】
図７は、記録条件ＢテーブルＢＴを説明するための図である。
記録条件ＢテーブルＢＴは、環境としての記録条件である「モード」、「時間帯」以外の記録条件が設定されるもので、ユーザ操作によって任意に設定可能となっている。「自動記録相手」はＴＶ電話の相手が誰かによってその相手画像を記録するための記録対象者を示したもので、図示の例では、アドレス帳ＡＤに登録されている全ての相手を記録対象者として設定した場合を示している。ＣＰＵ１１は、ＴＶ電話時の環境が記録条件としての環境に該当し、かつ、テレビ電話の相手が記録条件としての記録対象者に該当している場合に、そのＴＶ電話中に取得した相手画像を記録するようにしている。「相手個別更新タイミング」は、相手別に記録されている相手画像を新たな画像に書き換える更新タイミングを示すもので、図示の例では、一律に３ヶ月を設定した場合を示している。なお、更新タイミングは、個々の相手に対応して個別に設定するようにしてもよい。ＣＰＵ１１は、記録条件としての更新タイミングに達した際に、ＴＶ電話中に取得した相手画像を記録するようにしている。
【００３４】
次に、この第１実施例における携帯電話装置の動作概念を図８〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
なお、図８〜図１０は、携帯電話装置の全体動作のうち、本実施例の特徴部分の動作概要を示したフローチャートであり、この図８〜図１０のフローから抜けた際には、全体動作のフロー（図示省略）に戻る。
【００３５】
図８及び図９は、ＴＶ電話着信時（オフフック時）に実行開始されるフローチャートである。先ず、ＣＰＵ１１は、ＴＶ電話の着信に応じてインカメラ１７を駆動させて自分画像を取得する動作を開始すると共に（ステップＡ１）、その着信信号に含まれている相手の電話番号に基づいてアドレス帳ＡＤを検索して、ＴＶ電話の相手を特定する（ステップＡ２）。そして、記録条件ＢテーブルＢＴを参照し、この特定相手は「自動記録相手」としての記録条件を満たすか否かを調べる（ステップＡ３）。
【００３６】
ここで、記録条件ＢテーブルＢＴの「自動記録相手」には、図７に示すようにその設定例としてアドレス帳ＡＤに登録されている全ての相手が記録対象者として設定されているため、今回のＴＶ電話の相手がアドレス帳ＡＤに登録されていない相手であれば、「自動記録相手」の条件を満たさないと判断される（ステップＡ３でＮＯ）。この場合、ＴＶ電話中の相手画像を取り込むモード（画像キャプチャモード）をオフした状態におけるＴＶ電話動作（通常のＴＶ電話動作）を開始させる。これによって通話可能状態となるほか、図３に示すようにＴＶ電話中に電話通信部１５を介して取得した相手画像とインカメラ１７から取得した自分画像とがＴＶ電話画面に表示される。
【００３７】
一方、特定相手が「自動記録相手」としての記録条件を満たす場合には（ステップＡ３でＹＥＳ）、現在の環境を特定する（ステップＡ４）。すなわち、現在、“ビジネスモード”に設定されているのか、“プライベートモード”に設定されているのかを調べると共に、ＲＴＣ２２から現在日時を取得することによって現在の環境を特定する。そして、上述のようにして特定した特定相手と現在の環境に基づいて条件別相手画像テーブルＰＴを検索し、特定相手に対応付けられている何れかの記録条件に該当しているか否かを判別する（ステップＡ４）。いま、ＴＶ電話時の環境が特定相手に対応付けられている何れの記録条件にも該当していなければ（ステップＡ４でＮＯ）、この特定相手に基づいてアドレス帳ＡＤを検索し、その相手に対応して「代表画像」が登録されているかを調べ（ステップＡ６）、「代表画像」が登録されていれば、画像キャプチャモードをオフした状態でのＴＶ電話動作を開始させる。この場合、アドレス帳ＡＤから読み出された「代表画像」が相手画像として表示される。
【００３８】
また、「代表画像」が登録されていなければ（ステップＡ６でＮＯ）、図９のフローに移り、後述する画像キャプチャモード下でのＴＶ電話動作を開始させる。また、ＴＶ電話時の環境が特定相手に対応付けられている何れかの記録条件に該当していれば（ステップＡ５でＹＥＳ）、条件別相手画像テーブルＰＴ内に当該特定相手及び記録条件に対応する「画像」が記憶されているかを調べ（ステップＡ７）、該当する「画像」が記憶されていなければ、図９のフローに移り、後述する画像キャプチャモード下でのＴＶ電話動作を開始するが、該当する「画像」が記憶されていれば（ステップＡ７でＹＥＳ）、ＲＴＣ２２から現在日時を読み出すと共に、その「画像」に対応する「記録日時」を条件別相手画像テーブルＰＴから読み出して「記録日時」からの経過日数を求め、この経過日数と記録条件ＢテーブルＢＴの「相手個別更新タイミング」とを比較することによって、経過日数は更新タイミングに達したか否かを調べる（ステップＡ８）。
【００３９】
いま、更新タイミングに達していなければ（ステップＡ８でＮＯ）、画像キャプチャモードをオフした状態でのＴＶ電話動作を開始させるが、更新タイミングに達したときには（ステップＡ８でＹＥＳ）、図９のフローに移り、画像キャプチャモード下でのＴＶ電話動作を開始して（ステップＡ９）、電話通信部１５からＴＶ電話中の相手画像を受信すると共にインカメラ１７からの自分画像を送信するほか（ステップＡ１０）、相手及び自分の通話音声を送受信する（ステップＡ１１）。そして、相手画像の内容を解析して（ステップＡ１２）、相手の顔が正面に向いているか、目を開いているかをチェックするほか、顔の大きさ、明るさは記録用として適切かなどをチェックし（ステップＡ１３）、その結果、適切画像であれば、その相手画像をキャプチャ画像としてメモリ１４のワーク域に一時記憶しておく（ステップＡ１４）。以下、オンフック操作が行われて回線接続が切断されるまで（ステップＡ１５でＮＯ）、上述のステップＡ１１に戻り、画像キャプチャモード下でのＴＶ電話動作を継続する。
【００４０】
このようなＴＶ電話中にオンフック操作が行われると（ステップＡ１５でＹＥＳ）、ＴＶ電話中にキャプチャされた画像がメモリ１４のワーク域内に記憶されているかを調べる（ステップＡ１６）。その結果、キャプチャ画像が記憶されていなければ、この時点でＴＶ電話の終了となり、図８及び図９のフローから抜けて上述の全体フローに戻るが、キャプチャ画像が記憶されていれば（ステップＡ１６でＹＥＳ）、このキャプチャ画像を読み出して一覧表示させると共に（ステップＡ１７）、その何れのキャプチャ画像を記録対象とするのかをユーザに問い合わせるための確認案内（画像の選択を促すガイダンス）を表示させる（ステップＡ１８）。
【００４１】
ここで、所望する画像を記録対象として選択する画像選択操作が行われると（ステップＡ１９）、条件別相手画像テーブルＰＴに記憶されている当該特定相手及び記録条件に対応する「画像」を当該選択画像に書き替えることによってその画像の更新を行う（ステップＡ２０）。なお、この場合、条件別相手画像テーブルＰＴ内に該当する「画像」が登録されていない場合には、今回の選択画像が相手画像として新規登録され、また、アドレス帳ＡＤに「代表画像」が登録されていない場合にも今回の選択画像が代表画像として新規登録される。そして、ＴＶ電話の終了となり、図８及び図９のフローから抜けて上述の全体フローに戻る。
【００４２】
図１０は、アドレス帳ＡＤの閲覧表示が指示された際に実行開始されるフローチャートである。先ず、ＣＰＵ１１は、ユーザ操作などによって閲覧表示が指示されると、アドレス帳ＡＤの内容を読み出して一覧表示させる（ステップＢ１）。図１１（Ａ）は、アドレス帳ＡＤの一覧画面を示した図で、「相手名前」が一覧表示される。この一覧画面の中から所望する相手を選択する操作が行われると（ステップＢ２）、この選択相手に関する相手情報をアドレス帳ＡＤから読み出して（ステップＢ３）、画像の記録有無を調べ（ステップＢ４３、「代表画像」が記憶されていなければ（ステップＢ４でＮＯ）、相手画像無しの相手情報として「電話番号」、「メールアドレス」を個別表示させる（ステップＢ１２）。
【００４３】
上述した選択相手に対応する「代表画像」がアドレス帳ＡＤに記憶されていれば（ステップＢ４でＹＥＳ）、この選択相手に基づいて条件別相手画像テーブルＰＴを検索して、「モード」、「時間帯」別の「画像」、つまり環境別の画像が記憶されているかを調べ（ステップＢ５）、環境別の画像が記憶されていなければ、アドレス帳ＡＤの「代表画像」を読み出すと共に（ステップＢ９）、現在環境に対応する画像が無い旨の報知を行わせる（ステップＢ１０）。そして、この「代表画像」付き相手情報として「電話番号」、「メールアドレス」を個別表示させる（ステップＢ１１）。
【００４４】
環境別の画像が記憶されていれば（ステップＢ５でＹＥＳ）、現在の環境を特定する（ステップＢ６）。すなわち、現在、“ビジネスモード”に設定されているのか、“プライベートモード”に設定されているのかを調べると共に、ＲＴＣ２２から現在日時を取得することによって現在の環境を特定する。そして、この現在環境に基づいて条件別相手画像テーブルＰＴを検索し、現在環境に該当する「画像」の有無を調べ（ステップＢ７）、現在環境に該当する「画像」が記憶されていなければ、上述の場合と同様に、アドレス帳ＡＤの「代表画像」を読み出すと共に（ステップＢ９）、現在環境に対応する画像が無い旨の報知を行わせる（ステップＢ１０）。そして、この「代表画像」付き相手情報として「電話番号」、「メールアドレス」を個別表示させる（ステップＢ１１）。
【００４５】
また、現在環境に該当する「画像」が記憶されていれば（ステップＢ７でＹＥＳ）、この環境別の「画像」を読み出し、環境別の「画像」付きの相手情報として「電話番号」、「メールアドレス」を個別表示させる（ステップＢ１１）。図１１（Ｂ）は、環境別の画像付き相手情報を個別表示させた場合の画面を示している。なお、この個別画面には「発信ボタン」、「終了ボタン」、「次ボタン」が配置されている。いま、「発信ボタン」が操作されると（ステップＢ１３でＹＥＳ）、選択相手宛への発信を行ったのち（ステップＢ１４）、図８のステップＡ２に移り、以下、上述の動作が行われる。また、「終了ボタン」が操作されると（ステップＢ１５でＹＥＳ）、図１０のフローから抜けて上述の全体フローに戻る。また、別の相手を選択するために「次ボタン」が操作されると（ステップＢ１６でＹＥＳ）、上述したステップＢ２に戻り、以下、上述の動作を繰り返す。
【００４６】
以上のように、この第１実施例においてＣＰＵ１１は、ＴＶ電話中に電話通信部１５から取得した相手画像を当該相手に関する相手情報として記録させるための記録条件が記憶されている状態において、ＴＶ電話時の環境を取得し、この環境が記録条件に該当していれば、ＴＶ電話中に取得した相手画像を当該相手に関する相手情報として記録するようにしたので、ＴＶ電話時の環境に適した画像を記録することができる。すなわち、現在の環境に応じて正装した姿で撮影された画像、私服で撮影された画像を記録するなど、ＴＶ電話時の環境に適合した画像を記録することができる。
【００４７】
同一相手に対応して複数の記録条件が記憶されている場合に、ＴＶ電話時の環境が何れかの記録条件に該当していれば、その環境下で得られた相手画像を当該記録条件に対応する環境別の相手情報として記録するようにしたので、同一相手に対応して環境別に複数の画像を記録することができる。
【００４８】
記録条件としての環境が時間帯の場合には、時間帯別に相手画像を記録することができる。また、記録条件としての環境がモード（ビジネスモード、プライベートモード）の場合には、モード別に複数の相手画像を記録することができる。
【００４９】
アドレス帳ＡＤの一覧表示の中から任意の相手を選択してその相手の情報を閲覧表示する場合に、この閲覧表示時の環境が当該選択相手に対応する記録条件に該当していれば、この記録条件に対応する環境別の相手画像を選択して表示するようにしたので、現在環境に適した画像を表示することができる。例えば、会社内で所望する相手に電話しようとしてアドレス帳を開いたときに、その相手の画像があまりにもくつろいだ画像（プライベートシーンでの画像）であったり、逆に、くつろいだシーンで相手の画像を見たときに、それがあまりにも堅苦しい画像（ビジネスシーンでの画像）であったり、また、朝に画像を閲覧しようとしたときに、夜に撮影された画像であったり、寒い季節に画像を閲覧しようとしたときに、夏に撮影された画像であったりすると、違和感をもつようになるが、上述のように現在環境に適した画像を表示するようにしたので、違和感のない画像閲覧が可能となる。
【００５０】
アドレス帳ＡＤの内容を閲覧表示するときの環境が何れの記録条件にも該当していない場合には、予め登録されているアドレス帳ＡＤ内の「代表画像」を表示するようにしたので、現在環境に不適当な画像を無理に表示せず、どのような環境でもマッチする適切な画像を表示することができる。
【００５１】
ＴＶ電話時の環境が記録条件としての環境に該当し、かつ、その相手が記録条件としての記録対象者（自動記録相手）に該当していれば、そのＴＶ電話中に取得した相手画像を記録するようにしたので、ＴＶ電話の相手が記録対象者である場合に限り、ＴＶ電話時の環境に適合した画像を記録することができるほか、アドレス帳ＡＤに登録されている相手を記録対象者とすることができる。
【００５２】
相手画像を新たな画像に書き換える更新タイミングが記録条件の場合に、この更新タイミングに達した際に、その相手とのＴＶ電話中に取得した相手画像を記録するようにしたので、適切なタイミングで相手画像を新たな画像に書き替えることができる。例えば、寒い季節に相手の画像を閲覧しようとしたときに、夏に撮影された画像のままであると、違和感をもつが、季節の変わり目を更新タイミングとしておけば、現在の季節に適合した画像を記録することができる。
【００５３】
相手画像に記録日時を付加するようにしたので、この記録日時と現在日時とを比較することによって更新タイミングに達したか否かを判別することが可能となる。
【００５４】
ＴＶ電話中に記録条件としての更新タイミングに該当し、かつ、その相手が記録条件としての記録対象者（自動記録相手）に該当していれば、そのＴＶ電話中に取得した相手画像を記録するようにしたので、ＴＶ電話の相手が記録対象者である場合に限り、適切なタイミングで相手画像を新たな画像に書き替えることができる。この場合、アドレス帳ＡＤに登録されている相手を記録対象者とすることができる。
【００５５】
記録条件に該当する相手画像が記録されていない場合には今回のＴＶ電話中に取得した相手画像を新規画像として記録するようにしたので、相手画像を充実させることができる。
【００５６】
ＴＶ電話中に取得した相手画像の中から画像状態が所定の状態を満たしている相手画像を抽出して記録するようしたので、例えば、顔が正面に向いている画像、目を開いている画像、顔の大きさ、明るさに問題がない画像など、記録用として適切な良質画像を記録することができる。
【００５７】
この抽出した相手画像が複数存在する場合に、その何れを記録するのかをユーザに問い合わせるための確認案内を行うようにしたので、ユーザの好みを反映させることができる。
【００５８】
なお、上述した第１実施例においては、アドレス帳ＡＤと条件別相手画像テーブルＰＴとを設けたが、アドレス帳ＡＤと条件別相手画像テーブルＰＴとを一体化してもよい。
また、上述した第１実施例においては、非接触ＩＣカード処理部２４と会社ゲートＧＴとの間での通信結果に基づいて出社か退社かを判別して“ビジネスモード”と“プライベートモード”とを切り替えるようしたが、ＧＰＳ信号通信部２３から受信した信号に基づいて“ビジネスモード”と“プライベートモード”とを切り替えるようにしてもよい。また、「モード」としては“ビジネスモード”、“プライベートモード”に限らないことは勿論である。
【００５９】
また、上述した第１実施例においては、アドレス帳ＡＤに相手の誕生日などの記念日を記憶しておき、この記念日にその相手のアドレス帳データを閲覧表示する場合に、当該記念日に対応付けて特別に記録しておいた画像を読み出して閲覧表示するようにしてもよい。この場合、お気に入り画像フォルダの中から所望する画像を読み出して閲覧表示するようにしてもよい。
【００６０】
また、上述した第１実施例においては、「モード」と「時間帯」との論理積（ＡＮＤ）を記録条件とした場合を例示したが、「モード」、「時間帯」との論理和（ＯＲ）を記録条件としてもよい。また、相手画像内に顔が含まれている場合に記録し、顔の表情を認識した結果、怒った顔であれば、その画像を記録しないようにしてもよい。
（実施例２）
【００６１】
以下、この発明の第２実施例について図１２及び図１３を参照して説明する。
なお、上述した第１実施例においては、記録条件として環境（モード、時間）、画像更新タイミングとしたが、この第２実施例においては、記録対象者（自動記録相手）を記録条件としたものであり、また、第１実施例においては、記録条件ＢテーブルＢＴに「自動記録相手」を設定するようにしたが、この第２実施例においては、アドレス帳ＡＤ内の各相手に対応付けて「自動記録相手」を個別に設定するようにしたものである。
ここで、両実施例において基本的あるいは名称的に同一のものは、同一符号を付して示し、その説明を省略すると共に、以下、第２実施例の特徴部分を中心に説明するものとする。
【００６２】
図１２は、第２実施例のアドレス帳ＡＤを説明するための図である。
アドレス帳ＡＤは、「相手名前」、「電話番号」、「メールアドレス」、「代表画像」のほか、「自動記録相手」などの項目を有する構成となっている。この「自動記録相手」はＴＶ電話の相手が誰かによってその相手画像を記録するための記録対象者を示したもので、相手毎に個別に設定可能となっている。なお、図中、丸印が自動記録の対象者であることを示している。ＣＰＵ１１は、ＴＶ電話の相手が記録条件としての記録対象者に該当していると判別された場合に、そのＴＶ電話中に取得した相手画像を記録するようにしている。
【００６３】
図１３は、第２実施例において、ＴＶ電話着信時（オフフック時）に実行開始されるフローチャートである。先ず、ＣＰＵ１１は、ＴＶ電話の着信に応じてインカメラ１７を駆動させて自分画像を取得する動作を開始すると共に（ステップＣ１）、その着信信号に含まれている相手の電話番号に基づいてアドレス帳ＡＤを検索して、ＴＶ電話の相手を特定する（ステップＣ２）。そして、この特定相手は「自動記録相手」としての記録条件を満たすか否かを調べ（ステップＣ３）、自動記録の対象者手ではなければ、画像キャプチャモードをオフ状態とする通常のＴＶ電話動作を開始させるが、自動記録の対象者手であれば（ステップＣ３でＹＥＳ）、画像キャプチャモード下でのＴＶ電話動作を開始して（ステップＣ４）、電話通信部１５からＴＶ電話中の相手画像を受信すると共にインカメラ１７からの自分画像を送信するほか（ステップＣ５）、相手及び自分の通話音声を送受信する（ステップＣ６）。
【００６４】
そして、この着信信号に基づいて受信感度は適正レベル以上か、つまり、受信感度をチェックすることによって記録用として適した画像を受信することができたかを調べる（ステップＣ７）。いま、受信感度が適正レベル未満で受信不良の状態であれば、ステップＣ１１に移るが、適正レベル以上で受信感度が良好であれば（ステップＣ７でＹＥＳ）、その状態で受信取得した相手画像を解析し（ステップＣ８）、相手の顔が正面に向いているか、目を開いているかをチェックするほか、顔の大きさ、明るさは記録用として適切かなどをチェックし（ステップＣ９）、適切な画像であれば、その相手画像をキャプチャしてメモリ１４のワーク域に一時記憶しておく（ステップＣ１０）。以下、オンフック操作が行われて回線接続が切断されるまで（ステップＣ１１でＮＯ）、上述のステップＣ５に戻り、画像キャプチャモード下でのＴＶ電話動作を継続する。
【００６５】
ＴＶ電話中にオンフック操作が行われると（ステップＣ１１でＹＥＳ）、このＴＶ電話中にキャプチャされた画像がメモリ１４のワーク域に記憶されているかを調べ（ステップＣ１２）、記憶されていなければ、ＴＶ電話の終了となり、図１３のフローから抜けて上述の全体フローに戻るが、キャプチャ画像が記憶されていれば（ステップＣ１２でＹＥＳ）、キャプチャ画像を読み出して一覧表示させると共に（ステップＣ１３）、その何れのキャプチャ画像を記録するのかをユーザに問い合わせるための確認案内として、画像の選択を促すガイダンスを表示させる（ステップＣ１４）。このガイダンスに応じて画像選択操作が行われると、この選択画像を特定相手の「代表画像」として記録する（ステップＣ１５）。これによってＴＶ電話の終了となり、図１３のフローから抜けて上述の全体フローに戻る。
【００６６】
以上のように、この第２実施例においては、記録対象者（自動記録相手）を記録条件とすると共に、アドレス帳ＡＤ内の各相手に対応付けて「自動記録相手」を個別に設定するようにしたので、ＴＶ電話の相手が自動記録相手である場合にそのＴＶ電話中に取得した相手画像を記録することができるほか、アドレス帳ＡＤの内容を確認しながら「自動記録相手」を個別に設定することができるので、その設定を容易に行うことが可能となる。
【００６７】
なお、上述した各実施例においては特に言及しなかったが、ＴＶ電話中に取得した相手画像を記録する場合には静止画を記録する場合に限らず、動画を記録するようにしてもよい。
その他、テレビ電話機能を有した携帯電話装置に限らず、例えば、テレビ電話機能を有したＰＤＡあるいは据置き型のテレビ電話装置（テレビ電話機能付きの固定電話）であってもよい。
【図面の簡単な説明】
【００６８】
【図１】テレビ電話装置として適用したテレビ電話機能付きの携帯電話装置が利用可能な通信ネットワークシステムを示したブロック図。
【図２】テレビ電話機能付きの携帯電話装置１の基本的な構成要素を示したブロック図。
【図３】ＴＶ電話画面を示した図。
【図４】アドレス帳ＡＤを説明するための図。
【図５】条件別相手画像テーブルＰＴを説明するための図。
【図６】記録条件ＡテーブルＡＴを説明するための図。
【図７】記録条件ＢテーブルＢＴを説明するための図。
【図８】ＴＶ電話着信時（オフフック時）に実行開始されるフローチャート。
【図９】図８に続くフローチャート。
【図１０】アドレス帳ＡＤの閲覧表示が指示された際に実行開始されるフローチャート。
【図１１】（Ａ）は、アドレス帳ＡＤの一覧画面を示した図、（Ｂ）は、環境別の画像付きの相手情報を個別表示させた画面を示した図。
【図１２】第２実施例のアドレス帳ＡＤを説明するための図。
【図１３】第２実施例において、ＴＶ電話着信時（オフフック時）に実行開始されるフローチャート。
【符号の説明】
【００６９】
１  携帯電話装置
２  公衆移動体通信網
３  インターネット
４  ＰＣ
５  固定電話
１１  ＣＰＵ
１２  記憶部
１５  電話通信部
１７  インカメラ
１９  操作部
２１  表示部
２２  ＲＴＣ
２３  ＧＰＳ信号通信部
２４  非接触ＩＣカード処理
ＡＤ  アドレス帳
ＰＴ  条件別相手画像テーブ
ＡＴ  記録条件Ａテーブル
ＢＴ  記録条件Ｂテーブル
【図１】
0004858875.tif 000002
【図２】
0004858875.tif 000003
【図３】
0004858875.tif 000004
【図４】
0004858875.tif 000005
【図５】
0004858875.tif 000006
【図６】
0004858875.tif 000007
【図７】
0004858875.tif 000008
【図８】
0004858875.tif 000009
【図９】
0004858875.tif 000010
【図１０】
0004858875.tif 000011
【図１１】
0004858875.tif 000012
【図１２】
0004858875.tif 000013
【図１３】
0004858875.tif 000014